(57)【特許請求の範囲】
【請求項１】
前身頃（４）と、後身頃（５）と、前記前身頃（４）と前記後身頃（５）との間に位置する股下部（６）と、前記前身頃（４）の上縁部と前記後身頃の上縁部とで形成される胴回り部（１１）と、一対の脚開口部（８，８´）とを有するショーツ本体（２）、
および前記後身頃（５）の内側に設置されて、前記股下部（６）の後端部（６ｄ）またはその近傍から、前記胴回り部（１１）またはその近傍へ延びて前記ショーツ本体（２）に着脱自在に取付けられた防水シート（３Ａ，３Ｂ）とを有し、
前記防水シート（３Ａ，３Ｂ）の基端部（３ａ）には延長部（３ｃ，３ｄ，３ｆ）が設けられ、前記延長部（３ｃ，３ｄ，３ｆ）が前記股下部（６）の外側へ回り込み、あるいは前記延長部（３ｃ，３ｄ，３ｆ）が前記股下部（６）の内側に取付けられた装着布（１３）の外側へ回り込んだ状態で、前記延長部（３ｃ，３ｄ，３ｆ）を介して前記防水シート（３Ａ，３Ｂ）どうしを係止する係止手段（１４ａ）が設けられていることを特徴とするショーツ。
【請求項２】
前記防水シート（３Ａ）の基端部（３ａ）には、開口部（３ｅ）と、前記防水シート（３Ａ）の両側部から延びて、前記開口部（３ｅ）よりも基端側で互いに重なり合う一対の延長部（３ｃ，３ｄ）が設けられ、
前記股下部（６）または前記装着布（１３）が前記開口部（３ｅ）に位置する状態で、前記股下部（６）または前記装着布（１３）の外側で、前記延長部（３ｃ，３ｄ）どうしが前記係止手段（１４ａ）で係止される請求項１記載のショーツ。
【請求項３】
前記防水シート（３Ｂ）の基端部（３ａ）には、側方に延びる延長部（３ｆ）が設けられ、
前記延長部（３ｆ）が前記股下部（６）または前記装着布（１３）に巻き付けられ、前記係止手段（１４ａ）で、前記延長部（３ｆ）が巻き付けられた状態が維持される請求項１記載のショーツ。
【請求項４】
前記ショーツ本体（２）の前記胴回り部（１１）またはその近傍には、前記防水シート（３Ａ，３Ｂ）の先端部（３ｂ）およびこの先端部（３ｂ）を前記ショーツ本体（２）に固定する前記係止手段（１４ｂ）を覆う被覆部（１７）が設けられている請求項１ないし３のいずれかに記載のショーツ。
【請求項５】
前記防水シート（３Ａ，３Ｂ）は、通気性を有している請求項１ないし４のいずれかに記載のショーツ。
【請求項６】
前記ショーツは、生理用ショーツである請求項１ないし５のいずれかに記載のショーツ。
【発明の詳細な説明】
【０００１】
【発明の属する技術分野】
本発明は、後身頃に体排出物の漏れによる汚れを防止する防水シートが設けられたショーツに関する。
【０００２】
【従来の技術】
生理中の女性が就寝するときに、生理用ナプキンの後部から臀部側への経血の漏れが発生すると、就寝着、または寝具を汚すおそれがある。
【０００３】
前記経血の後ろ漏れ発生の防止対策として、臀部まで延びるヒップガードフラップを有する夜用の生理用ナプキンが使用されている。しかし、前記生理用ナプキンは、吸収層を有するヒップガードフラップが広い面積で臀部を覆うため、就寝時に股間部のみならず臀部の体温が高くなり、その結果装着者に蒸れ感を生じさせやすい。
【０００４】
また、就寝時の後ろ漏れ対策として、防水布が股間部からウエスト部まで縫着されている生理用ショーツも用いられている。この種の生理用ショーツは、例えば実開昭５７−１８７５１９号公報に開示されている。
【０００５】
図１０は前記公報に開示された生理用ショーツの代表的なものを示す展開図である。この生理用ショーツは、前身頃２３と、下部に股下部２５を一体に形成した後身頃２４とからなり、前記前身頃２３の下縁部２３ａと前記後身頃２４の股下部２５の先端部２５ａとが逢着されている。さらに、前記前身頃２３の一方の側端部２３ｂと前記後身頃２４の一方の側端部２４ａとが逢着され、前記前身頃２３の他方の側端部２３ｃと前記後身頃の他方の側端部２４ｂとが逢着されて、胴回り部２６および脚開口部２７が形成されている。そして、前記生理用ショーツでは、前記後身頃２４の一部分から股下部２５にかけて、液体不透過性のシート２８が縫合されて一体化されている。
【０００６】
就寝時などにおいて、前記股下部２５に装着された生理用ナプキンから後方へ経血が漏れた場合に、前記液体不透過性のシート２８によってショーツ外部へ滲み出ることを防止できるようにしている。
【０００７】
【発明が解決しようとする課題】
図１０に示すような生理用ショーツは、就寝時には生理用ナプキンの後端から洩れ出る経血を阻止する機能を有している。しかし、股下部２５から後身頃２４の全域に液体不透過性のシート２８が縫合されており、このシート２８はショーツ本体に比べて通気性が劣るため、日中に着用すると、股間部から臀部にかけて発汗による蒸れを生じやすい。
【０００８】
したがって、この生理用ショーツは就寝時専用としか使用することができず、日中に着用しずらい。また就寝時に前記ショーツを着用しているときには、朝必ず着替えを必要として不便である。
【０００９】
本発明は上記従来の課題を解決するものであり、吸収性物品の後端からの排出液の漏れによる汚れを防止する必要があるときのみ後身頃に防水性を持たせることができるショーツを提供することを目的としている。
【００１０】
【課題を解決するための手段】
本発明のショーツは、前身頃と、後身頃と、前記前身頃と前記後身頃との間に位置する股下部と、前記前身頃の上縁部と前記後身頃の上縁部とで形成される胴回り部と、一対の脚開口部とを有するショーツ本体、
および前記後身頃の内側に設置されて、前記股下部の後端部またはその近傍から、前記胴回り部またはその近傍へ延びて前記ショーツ本体に着脱自在に取付けられた防水シートとを有し、
前記防水シートの基端部には延長部が設けられ、前記延長部が前記股下部の外側へ回り込み、あるいは前記延長部が前記股下部の内側に取付けられた装着布の外側へ回り込んだ状態で、前記延長部を介して前記防水シートどうしを係止する係止手段が設けられていることを特徴とするものである。
【００１１】
本発明のショーツは、例えば就寝時に前記防水シートを取付けることにより股間部の後端部近傍から後身頃にかけて防水性を持たすことができる。また日中は前記防水シートを除去することにより、蒸れ感の無いショーツとして使用することができる。
【００１３】
防水シートの基端部と先端部に着脱自在な係止手段を設けることで、ショーツ本体から防水シートが不用意に離脱するのを防止でき、またその取付けも２箇所でできて着脱操作が簡単になる。
【００１５】
また、防水シートの延長部を股下部または装着布の外側に巻き付けると、防水シートの基端部をショーツ本体に確実に固定できる。
【００１６】
さらに、前記ショーツ本体の前記胴回り部またはその近傍には、前記防水シートの先端部および前記係止手段を覆う被覆部が設けられているものが好ましい。
【００１７】
前記手段では、防水シートの先端部が装着者の肌に直接当たらなくなり、装着者の例えば胴回り部に違和感を生じさせなくなる。
【００１８】
さらに、前記防水シートは、通気性を有していることが好ましく、通気性を付与することにより防水シートを使用しているときに臀部での蒸れ感を減少させることができる。
【００１９】
本発明は生理用ショーツとして実施することに好適であり、本発明を生理用ショーツとして実施した場合には、生理用ナプキンの後端からの経血の漏れによる汚れを防止する必要があるときのみ後身頃に防水性を持たせることができるため、日中に着用しても臀部での蒸れ感を減少させることができ、また、朝の着替えを不要とすることができる。
【００２０】
【発明の実施の形態】
以下、本発明のショーツについて、図面を参照して説明する。ここで言うところの「ショーツ」とは、「吸収性物品」を身体に装着するのに適したものを意味する。また、本発明での「吸収性物品」とは、「生理用ナプキン」に代表されるように、身体から排出される液等を吸収して包含するものを意味する。
【００２１】
図１は、生理用ショーツの基本構造を参照例として示す斜視図であり、図２は前身頃の中心線で分離した展開図、図３は生理用ショーツの内部構造の一部を示す斜視図である。
【００２２】
図示する生理用ショーツ１は、生理用ショーツ本体２と、着脱自在な防水シートの一例である防水布３とから構成されている。
【００２３】
ショーツ本体２はその着用時に着用者に当てられる箇所により３つの部分、すなわち、着用者の身体の前方側を覆うための前身頃４、着用者の身体の後方部分を覆うための後身頃５、着用者の股部を覆うための股下部６に大別される。
【００２４】
図２の展開図に示されるように、前身頃４と後身頃５は主に、２枚の腰当て布７、７′から形成される。腰当て布７、７′は、着用者の身体へのフィット感を高めるために伸縮性を有することが好ましい。例えば、腰当て布７、７′は、伸縮性を有するポリウレタン繊維の糸と、肌に優しいナイロン繊維の糸とで構成されたトリコットハーフ編みの織布である。
【００２５】
２枚の腰当て布７、７′は、前身頃４の中心線４ａ、および後身頃５の中心線５ａの位置で互いに接合され、略筒状体が形成されている。ここで言うところの「接合」とは縫合を指すが、これに限定されるものではない。この略筒状体の下方の開口部を２分するように、股下部６が、前身頃４の中心線４ａを含む下端の部分と後身頃５の中心線５ａを含む下端の部分とを繋ぐように設けられている。
【００２６】
これにより、股下部６の一方の側縁６ａと腰当て布７の下縁７ａとで一方の脚開口部８が形成され、股下部６の他方の側縁６ｂと腰当て布７′の下縁７ａ′とで他方の脚開口部８′が形成されている。一方、腰当て布７の上縁７ｂと、腰当て布７′の上縁７ｂ′は連続して開口縁９が形成され、前記開口縁９により前記略筒状体の上方に開口部１０が郭成されている。この開口縁９からその下の点線９ａで示す帯状の領域が胴回り部１１である。
【００２７】
前記胴回り部１１は、生理用ショーツの上方の開口縁９から所定幅（例えば、１〜４ｃｍ幅）の領域を意味しており、この部分が着用者の胴部に密着し着用時に生理用ショーツがずり落ちるのを防止する機能を奏する。このような機能を付与するために、胴回り部１１には、ポリウレタン繊維で形成された伸縮織物、合成ゴムシート、天然ゴムシートなどからなるウエストバンドが接合されている。あるいは、このウエストバンドが腰当て布７、７′からなる略筒状体の上縁に接合され、前記ウエストバンドのみで胴回り部１１が形成されていてもよい。
【００２８】
股下部６は二重構造となっており、股下布１２と、股下布１２の上に位置する生理用ナプキン装着布１３とから構成される。股下布１２と生理用ナプキン装着布１３は、股下部６の前端部６ｃと後端部６ｄのみで互いに接合され、前記前端部６ｃと後端部６ｄは、前記略筒状体を形成する腰当て布７，７′に接合されている。なお、前端部６ｃと後端部６ｄの間の部分では、前記股下布１２と生理用ナプキン装着布１３は接合されていない。
【００２９】
生理用ナプキン装着布１３は、股下布１２よりもある程度縦寸法が大きく、また図２に示すように幅寸法が小さい。この縦寸法の差により、生理用ナプキン装着布１３と股下布１２との間には隙間が形成されやすく、また横寸法の差により、前記隙間の間に生理用ナプキンのフラップを差し込みやすくなっている。
【００３０】
前記股下布１２は腰当て布７、７′と同じ材料から製造可能であるが、異なる材料から製造されるものであってもよい。
【００３１】
前記生理用ナプキン装着布１３は生理用ナプキンのズレによる経血の漏れに備えて防水性を有することが望ましい。好ましくは、生理用ナプキン装着布１３は防水布３と同じ素材で形成される。あるいは、股下部６が一枚の股下布１２のみから構成されるものであってもよい（図８、図９参照）。この場合、股下布１２は生理用ナプキン装着布１３と同じ防水性の材料から製造されることが好ましい。
【００３２】
以上、ショーツ本体の基本構造について図面を用いて詳述したが、ショーツ本体の形態、形状、サイズはこれに限定されるものではない。例えば、前身頃、後身頃に相当する２枚の布を用意し、この２枚の布を略筒状体の両側部で接合するものであってもよい。さらにこの場合、股下部は前記前身頃、後身頃に相当する２枚の布の一方からの延出部を他方へ接合することで形成することもできる。あるいは、ショーツ本体を一枚の布から形成することも可能である。二重構造の股下部が望まれる場合、上記延出部、あるいは一枚の布の股下部へ相当する部分へさらに生理用ナプキン装着布１３を接合すればよい。
【００３３】
以上から分かるように、本発明における「股下部」とは、着用時に着用者の股部を覆う領域を意味するものであり、必ずしも前身頃、後身頃と別個の布から形成されるものに限られない。また、ショーツ本体の形状としては、ハイレグ形状、ボクサートランクス形状など様々な形状が考えられる。
【００３４】
このショーツ本体２の内側に、着脱可能な防水シートとして防水布３が設けられている。ここで言うところの「防水布」とは、耐水性（水の通過又は浸透に対して抵抗する性質）を有する布を意味する。ムレ防止の観点から防水布は通気性や透湿性を有することが望ましいが、防水性であれば特に限定されるものではない。ここで言うところの「通気性」とは空気が流通できる性質のことを指し、「透湿性」とは水蒸気を透過させる性質のことを指す。
【００３５】
防水布３は、公知の好適な生地の裏側に接着剤を介して液不透過性のフィルムを積層したものや、公知の好適な生地の裏面にフィルム用樹脂をコーティングして液不透過性の防漏フィルムの皮膜を形成したものが好ましい。具体的には、ポリエステルの鹿の子のニット編みのトリコット生地に透湿性フィルムをラミネート加工して形成された防水布などが考えられる。上記防水布においてはさらに、ラミネートされたフィルム面を保護するために、トリコット生地の周辺部分を縫合して生地とフィルムとを一体化することが好ましい。
【００３６】
このように、防水布３に布を使用したものは洗濯をすることにより再利用が可能である。また、防水布３を使い捨て可能な不織布を主体として形成することができる。前記防水布３は、不織布に溌水処理を施したもの、不織布の裏側に接着剤を介して液不透過性のフィルムを積層したものや、不織布の裏面にフィルム用樹脂をコーティングして液不透過性の防漏フィルムの皮膜を形成したものを使用することもできる。このように、防水布３として不織布を主体としたものを使用した場合、安価に製造でき、防水布３のみを使用後に廃棄し、その後に新品の防水布３を装着するという使用態様が可能である。
【００３７】
防水布３の形状は、例えば図２に示すようなものであるが、これに限定されるものではない。防水布３の幅は狭すぎると経血の漏れを防ぎきれず、広すぎると蒸れ感を生じる。よって、防水布３の幅寸法は、股下部６の幅（この実施の形態では股下布１２の幅）の５０％から２００％が望ましいが、これに限定されるものではない。
【００３８】
図３にも示されるように、前記防水布３の長手方向の両端部である基端部３ａおよび先端部３ｂには、生理用ショーツ本体２に対して着脱自在な取付け手段が設けられている。具体的には、防水布３の基端部３ａが、股下部６の後端部６ｄの近傍において生理用ナプキン装着布１３の上面に、第１の係止手段１４ａによって着脱自在に係止され、前記防水布３の先端部３ｂが、後身頃５側の胴回り部１１に、第２の係止手段１４ｂによって着脱自在に係止されている。このように、防水布３は、股下部６の後端部６ｄ近傍から後身頃５側の胴回り部１１にかけての所定領域において、生理用ショーツ本体２の後身頃５の内面を覆うように延びている。そして第１及び第２の係止手段１４ａ、１４ｂによる係止を解除することにより、防水布３は生理用ショーツ本体２から取り外すことができる。
【００３９】
この第１及び第２の係止手段１４ａ、１４ｂとしては、様々な種類の固定具、例えば、スナップ（凸型と凹型の一組の小さな留め具）、フック（かぎ状の引っかけ金具）、面ファスナ（パイルを利用した離着自在のテープ）などが考えられるが、これらに限定されるものではない。ただし、着用感を考えると、なるべく凹凸が少ない形状で、軟質な材料で形成され、着用者の肌に刺激を与えないものがよい。よって好ましい固定具としてはプラスチック製のスナップ、面ファスナ、あるいはその組み合わせ、が挙げられる。
【００４０】
図２および図３に示したものでは、前記固定具としてスナップ１５ａ、１５ｂ、１５ｃ、１５ｄ、１５ｅ、１５ｆが使用されている。前記スナップ１５ａ、１５ｂ、１５ｃ、１５ｄ、１５ｅ、１５ｆは、プラスチック製で、直径７ｍｍ程度のものが好ましい。
【００４１】
図３に示すように、第１の係止手段１４ａでは、スナップ１５ａ、１５ｂ、１５ｃの雌ピースと雄ピースの一方が、防水布３の基端部３ａの裏側に取付けられ、他方が股下部６の後端部６ｄ近傍において生理用ナプキン装着布１３の上面に取付けられている。第２の係止手段１４ｂでは、スナップ１５ｄ、１５ｅ、１５ｆの雌ピースと雄ピースの一方が、防水布３の先端部３ｂの裏側に取付けられ、他方が後身頃５の胴回り部１１の内面に取付けられている。後に述べる防水布３取り外し時の着用感の視点から、スナップはその雄ピースが防水布３側に、雌ピースがショーツ本体２側に設けられることが好ましい。防水布３の基端部３ａおよび先端部３ｂにおけるスナップの数は少なくとも１つ以上であればよいが、着用時の防水布３の形状安定性のために、少なくとも２つあるいは３つ設けることが好ましい。
【００４２】
図３に示す生理用ナプキン１６はその両側部に、２つのフラップ１６ａ，１６ａを有している。生理用ナプキン１６が股下部６の生理用ナプキン装着布１３上に載置される際、前記フラップ１６ａ，１６ａが下側へ折り曲げられて、生理用ナプキン装着布１３と股下布１２との隙間へ挿入される。フラップ１６ａ，１６ａの裏面には感圧接着剤層が設けられおり、生理用ナプキン装着布１３の股下布１２に対向する面へ接着される。このようにして生理用ナプキン１６は生理用ナプキン装着布１３上にしっかりと固定される。
【００４３】
生理用ナプキン１６のサイズにもよるが、通常の大きさの生理用ナプキン１６を用いた場合には、図３に示すように、股下部６に装着された生理用ナプキン１６の後方の端部が、防水布３の基端部３ａの上に重なる。これにより、例えば就寝時に経血が着用者の身体を伝い生理用ナプキン１６を越えて後ろ漏れた場合でも、防水布３によって漏れ出した経血が遮られ、生理用ショーツ本体２、ナイトウェア、シーツ、マットレスなどを汚すことがない。
【００４４】
一方、就寝時以外の後ろ漏れの惧れがない時間、例えば日中に前記生理用ショーツ１を着用するときは、ショーツ本体２から防水布３を取り外して使用する。これにより後身頃５における通気性、透湿性などが向上し、ムレの発生を防止できる。
【００４５】
ただしここで注意すべきは、防水布３を取り外したとき、生理用ショーツ本体２側に残る固定具の部品（すなわち、スナップの雌ピース）が着用者の肌に直接触れることによって痛みや違和感を生じる惧れがあることである。ただし、図３に示すように、股下部６の後端部に設けられたスナップ１５ａ，１５ｂ，１５ｃの雌ピースは、生理用ナプキン１６によって覆われているため着用者の肌と直接接触することがない。
【００４６】
一方、胴回り部１１側の固定具（すなわち、スナップ１５ｄ、１５ｅ、１５ｆの雌ピース）については、前記のように肌との直接の接触を避けるように考慮されなくてはならない。
【００４７】
これへの解決策として、図１ないし図４に示す形態では、図４に拡大して示すように、防水布３を取り外した後に、スナップ１５ｄ、１５ｅ、１５ｆの雌ピースを覆い隠すことのできる部材として、胴回り部１１に被覆部材１７が取付けられている。ショーツ着用時に確実にスナップ１５ｄ、１５ｅ、１５ｆをカバーできるかぎりこの被覆部材１７の形態、形状、サイズについて特に制限はないが、好ましい例を図４に示す。
【００４８】
この図４に示す例では、被覆部材１７は、長方形の布１８を二つ折りにし、その両側辺を縫合線１７ａ，１７ａによって胴回り部１１の内面に接合することによって形成されている。これにより被覆部材１７はショーツ本体２の内側に向かって（股下部６に向かって）開口するポケット形態となる。スナップ１５ｄ、１５ｅ、１５ｆの雌ピースは、二つ折りされた布１８の下側部分１８ｂに配置されている。よって防水布３が取り外された後は、スナップ１５ｄ、１５ｅ、１５ｆの雌ピースは二つ折りされた布１８の上側部分１８ａによって被覆される。もちろん、胴回り部１１の内面に長方形状の布を縫いつけて、スナップ１５ｄ、１５ｅ、１５ｆの雌ピースを覆うようにしてもよい。
【００４９】
また、前記布１８は弾性的な伸縮性を有する素材で形成されていることが好ましい。これにより、前記布１８の上側部分１８ａを容易に捲り上げて、防水布３の先端部３ｂの着脱を行えるようになる。
【００５０】
図５（Ａ）（Ｂ）は、第１及び第２の係止手段１４ａ、１４ｂが面ファスナ（マジックテープ（Ｒ））である場合を説明する。図５（Ｂ）に示すように、第１の係止手段１４ａでは、スナップ１５ａ、１５ｂ、１５ｃの代わりに、雄シートと雌シートからなる面ファスナ１９ａが用いられている。面ファスナ１９ａの雄シートと雌シートの一方が防水布３の基端部３ａの裏側に取付けられ、他方が股下部６の後端部６ｄの近傍において生理用ナプキン装着布１３の上面に取付けられている。面ファスナー１９ａは、防水布３の基端部３ａのほぼ全幅に対応する範囲で連続的に設けられていてもよいし、部分的に設けられていてもよい。なお、比較的肌当りのやさしい雌シートが股下部６側に取付けられることが好ましいが、これに限定されるものではない。
【００５１】
図５（Ａ）に示すように、第２の係止手段１４ｂでは、同様にスナップ１５ｄ、１５ｅ、１５ｆの代わりに雄シートと雌シートからなる面ファスナ１９ｂが用いられている。ここでも比較的肌当りのやさしい雌シートがショーツ本体２の胴回り部１１に取付けられ、雄シートが防水布３の先端部３ｂの裏面に取付けられる。ただし、雄シートと雌シートの取付けが前記と逆であってもよい。この場合も、胴回り部１１の内面に被覆部材１７を設け、そのポケット部内に前記面ファスナー１９ｂの雌シートが設けられ、防水布３を取り外したときに、前記雌シートが被覆部材１７で覆われていることが好ましい。
【００５２】
図６と図７は、本発明の第１の実施の形態として、前記防水布の基端部を股下部６の後端部６ｄの近傍に取付けるための他の取付け手段を示している。
【００５３】
図６と図７に示す防水布３Ａは、その基端部３ａに、対を成す略Ｌ字状の延長部３ｃと３ｄが形成されており、両延長部３ｃと３ｄよりも上方に開口部３ｅが形成されている。そして前記両延長部３ｃと３ｄとの重なり部に、第１の係止手段１４ａとして面ファスナー１９ａが取付けられている。面ファスナー１９ａの雌シートと雄シートの一方が、延長部３ｃの表面に取付けられ、他方が延長部３ｄの裏面に取付けられている。もちろん、面ファスナの代わりにスナップ等が設けられていてもよい。
【００５４】
図７に示すように、前記延長部３ｃと３ｄは、股下部６の後端部６ｄの近傍において、生理用ナプキン装着布１３の下面に巻き付けられて、前記生理用ナプキン装着布１３が前記開口部３ｅ内に位置するように防水布３Ａの基端部３ａが取付けられる。そして、前記延長部３ｃと３ｄが生理用ナプキン装着布１３と股下布１２との隙間内において面ファスナー１９ａによって互いに着脱自在に係止される。
【００５５】
図８は、前記ショーツ本体２の股下部６に生理用ナプキン装着布１３が設けられていない場合を示している。この種のショーツ本体２を用いる場合には、前記防水布３Ａの延長部３ｃと３ｄが股下部６の股下布１２の下側に回り込むように取付けられ、股下布１２の下側で、前記延長部３ｃと３ｄが、面ファスナー１９ａによって着脱自在に係止される。
【００５６】
図６ないし図８に示す例では、面ファスナー１９ａなどの係止手段が、生理用ナプキン装着布１３の下側、または股下布１２の下側に位置するため、仮に生理用ナプキン１６がずれて、股下部６の後端部６ｄが着用者へと直接接触しても違和感を与えることはない。
【００５７】
次に、図９に示す本発明の第２の実施の形態では、防水布３Ｂの基端部３ａに側方に延びる帯状の延長部３ｆが形成され、第１の係止手段１４ａとなる面ファスナー１９ａの雌シートと雄シートの一方が、延長部３ｆの下面に取付けられ、他方が防水布３Ｂの基端部３ａの上面に取付けられている。また係止手段として面ファスナー１９ａの代わりにスナップを用いることも可能である。
【００５８】
この防水布３Ｂの基端部３ａを股下部６に取付ける際には、前記延長部３ｆを股下部６の防水布１２に巻き付け、または生理用ナプキン装着布１３に巻き付け、股下部６の上に巻き上げた延長部３ｆを、防水布３Ｂの基端部３ａの上面に対して面ファスナー１９ａで係止する。
【００５９】
この場合、股下部６の上面（内面）に延長部３ｆが現れるが、その上に生理用ナプキン１６の基端部を位置させることにより、延長部３ｆの存在による異物感が生じるのを防止できる。
【００６０】
上記のように本発明の生理用ショーツでは、後身頃５の中心線５ａに沿って、防水布３，３Ａ，３Ｂが、股下部６から胴回り部１１に向けて延びているため、就寝中などに生理用ナプキン１６の後端部から漏れた経血を前記防水布３，３Ａ，３Ｂによって受け止めることができる。また、前記防水布３，３Ａ，３Ｂを取り外して着用することにより、日中の使用時の蒸れ感を減少させることができる。
【００６１】
また、本発明のショーツは、前記生理用ショーツとしてだけではなく、軽度または中度の失禁患者が装着する薄型の失禁パッドを装着する場合に、後ろ漏れが心配な夜間などに前記防水布を装着して使用することが可能である。また、前記ショーツの内側に女性のおりもの吸収用の吸収シートを装着して使用することも可能である。
【００６２】
【発明の効果】
以上に説明したように、本発明のショーツでは後身頃に着脱自在な防水シートが設けられているため、就寝時のように吸収性物品からの排出物の後ろ漏れによって生ずる汚れの防止が必要なときにのみ前記防水シートを取り付け、日中などの使用には前記防水シートを取り外して、蒸れ感を防止するという汎用的な使用が可能になる。
【図面の簡単な説明】
【図１】  生理用ショーツの基本構造を参考例として示すものであり、着用時の立体形状とした状態を示す斜視図、
【図２】図1の生理用ショーツを前身頃の中心線で分離した展開図、
【図３】図1の生理用ショーツの内部での防水シートの取付け状態を示す部分斜視図、
【図４】胴回り部に対する防水シートの取付部を示す斜視図、
【図５】（Ａ）は面ファスナーを用いて防水シートを胴回り部に取付けた状態を示す斜視図、（Ｂ）は面ファスナーを用いて防水シートを股下部の後端部近傍に取付けた状態を示す斜視図、
【図６】  本発明の第１の実施の形態の防水シートの基端部を示す斜視図、
【図７】図６に示す防水シートの基端部が股下部の後端部近傍において生理用ナプキン装着布に取付けられた状態を示す斜視図、
【図８】図６に示す防水シートの基端部が股下部の後端部近傍において股下布に取付けられた状態を示す斜視図、
【図９】  本発明の第２の実施の形態の防水シートの基端部が股下部の後端部近傍において股下布に取付けられた状態を示す斜視図、
【図１０】従来の生理用ショーツの展開図。
【符号の説明】
１  生理用ショーツ
２  ショーツ本体
３，３Ａ，３Ｂ  防水布（防水シート）
３ａ  防水布の基端部
３ｂ  防水布の先端部
３ｃ，３ｄ，３ｆ  延長部
３ｅ  開口部
４  前身頃
５  後身頃
６  股下部
８、８′  脚開口部
１１  胴回り部
１４ａ、１４ｂ  係止手段
１５ａ，１５ｂ，１５ｃ，１５ｄ，１５ｅ，１５ｆ  スナップ
１６  生理用ナプキン
１７  被覆部材
１９ａ，１９ｂ  面ファスナー
【図１】
0003875038.tif 000002
【図２】
0003875038.tif 000003
【図３】
0003875038.tif 000004
【図４】
0003875038.tif 000005
【図５】
0003875038.tif 000006
【図６】
0003875038.tif 000007
【図７】
0003875038.tif 000008
【図８】
0003875038.tif 000009
【図９】
0003875038.tif 000010
【図１０】
0003875038.tif 000011